(57)【要約】      （修正有）【課題】寝心地をより良くしたマットレス及びベッド用敷寝具を提供する。【解決手段】マットレス１０は、コア層とエアー層との２層構造を具備し、コア層は、使用者の頭部、腰部及び脚部にそれぞれ対応する、複数のコア部２０ａ、２０ｂ、２０ｃで構成され、エアー層は複数のエアー部３０ａ、３０ｂ、３０ｃで構成されている。【選択図】図２
0003220176.tif 000002
【実用新案登録請求の範囲】
【請求項１】
コア層とエアー層とを具備するマットレス。
【請求項２】
前記コア層は、複数のコア部で構成され、
前記エアー層は、複数のエアー部で構成されていることを特徴とする請求項１に記載のマットレス。
【請求項３】
前記複数のコア部及び前記複数のエアー部の一部は、上層及び下層が入れ替わっていることを特徴とする請求項２に記載のマットレス。
【請求項４】
前記マットレスは、前記コア層又は前記エアー層からなる１層構造の部分を有することを特徴とする請求項２に記載のマットレス。
【請求項５】
請求項１乃至４のいずれか１項に記載の前記マットレスと、
前記マットレスを敷き詰め、底部と前記底部の周辺部に設けられた縁部とを有する箱状の有底枠体と
を具備することを特徴とするベッド用敷寝具。
【請求項６】
前記有底枠体は、前記有底枠体の内面と外面を連通する複数の空気穴を有することを特徴とする請求項５に記載のベッド用敷寝具。
【考案の詳細な説明】
【技術分野】
【０００１】
本考案は、マットレス及びベッド用敷寝具に関し、就寝者にとって用途や季節に応じた寝心地のよい安眠快眠を確保することができるマットレス及びベッド用敷寝具に関する。
【背景技術】
【０００２】
ベッド用敷寝具として、通気性のある心材を挟んで異なる２枚の厚板状ラテックス発泡体を重ね合わせてなるマットレスが、浅い箱状の有底枠体の中に敷きつめられた構成が知られている。
【０００３】
ベッド用敷寝具に関し、例えば、特許文献１では、マットレス１０は、通気性のある心材１２を挟んで厚さの異なる２枚の厚板状ラテックス発泡体１１ａ、１１ｂを重ね合わせ、それらを表がわ１４で包んで構成されている。このマットレス１０は、底部２とこの底部２の周辺部に立設された縁部３とからなる浅い箱状の有底枠体１の中に、敷きつめられている。
【０００４】
この文献に開示されたベッド用敷寝具は、マットレスの上に横になると、身体全体が自然な感じでマットレスに受け止められ、体圧が均等に分散され、睡眠姿勢を実現できるものである。さらに、硬い面を好む場合は、厚さの薄い高反発のラテックスの面を、柔らかい面を好む場合は、厚さの厚い高反発のラテックスの面を選定するというものである。
しかし、近年、使用者の好みは多様となっている上に、寝心地のさらなる向上が望まれている。
【先行技術文献】
【特許文献】
【０００５】
【特許文献１】実用新案登録第３０９２４６４号公報
【考案の概要】
【考案が解決しようとする課題】
【０００６】
本考案は、寝心地をより良くしたマットレス及びベッド用敷寝具を提供する。
【課題を解決するための手段】
【０００７】
本考案の一態様によるマットレスは、コア層とエアー層とを具備する。
【０００８】
上記本考案の一態様によるマットレスにおいて、前記コア層は、複数のコア部で構成され、前記エアー層は、複数のエアー部で構成されていてもよい。前記複数のコア部及び前記複数のエアー部の一部は、上層及び下層が入れ替わっていてもよい。前記マットレスは、前記コア層又は前記エアー層からなる１層構造の部分を有してもよい。
【０００９】
本考案の一態様によるベッド用敷寝具は、前記マットレスと、前記マットレスを敷き詰め、底部と前記底部の周辺部に設けられた縁部とを有する箱状の有底枠体とを具備する。
【００１０】
上記本考案の一態様によるベッド用敷寝具において、前記有底枠体は、前記有底枠体の内面と外面を連通する複数の空気穴を有してもよい。
【考案の効果】
【００１１】
本考案によれば、寝心地をより良くしたマットレス及びベッド用敷寝具を提供できる。
【図面の簡単な説明】
【００１２】
【図１】本考案の一実施形態に係るベッド用敷寝具を示す平面図及び断面図である。
【図２】本考案の一実施形態に係るマットレスの一例を示す断面図である。
【図３】本考案の一実施形態に係るマットレスの一例を示す断面図である。
【図４】本考案の一実施形態に係るマットレスの一例を示す断面図である。
【図５】本考案の一実施形態に係るマットレスのコア層を示す断面図である。
【図６】本考案の一実施形態に係るマットレスのエアー層を示す平面図である。
【図７】本考案の一実施形態に係る有底枠体を示す斜視図、平面図及び拡大断面図である。
【考案を実施するための形態】
【００１３】
以下、実施の形態について、図面を参照して説明する。この説明に際し、全図にわたり、共通する部分には共通する参照符号を付す。
【００１４】
［１］ベッド用敷寝具
図１（ａ）及び（ｂ）を用いて、本考案の一実施形態に係るベッド用敷寝具について説明する。
図１（ａ）及び（ｂ）に示すように、本考案に係るベッド用敷寝具１は、マットレス１０と有底枠体４０とを有して構成されている。マットレス１０は、有底枠体４０内に敷き詰められている。マットレス１０は、コア層２０とエアー層３０とからなる２層構造を有している。エアー層３０には、空気を出し入れするためのバルブ３１が設けられている。
【００１５】
［２］マットレス
図２（ａ）乃至（ｄ）、図３（ａ）乃至（ｃ）、図４（ａ）及び（ｂ）を用いて、本考案の一実施形態に係るマットレスの例について説明する。尚、マットレスは、以下に説明する構成に限定されず、適宜変更可能である。また、マットレスが多層で構成される場合、使用者が横になる面が、図示する上層であっても、下層であってもよい。
【００１６】
図２（ａ）に示すマットレス１０は、全体がコア層２０とエアー層３０との２層構造になっている。コア層２０とエアー層３０とは、互いに同程度の厚みを有していても、異なっていてもよい。後者の場合、例えば、コア層２０の厚みは６０ｍｍ、エアー層３０の厚みは４０ｍｍである。
【００１７】
コア層２０は、複数（例えば３つ）のコア部２０ａ、２０ｂ、２０ｃからなる。コア部２０ａ、２０ｂ、２０ｃは、使用者の頭部、腰部及び脚部の３箇所にそれぞれ対応する。コア部２０ａ及び２０ｂ間の側面、コア部２０ｂ及び２０ｃ間の側面は繋がっており、コア部２０ａ、２０ｂ、２０ｃは一体となっている。但し、コア部２０ａ、２０ｂ、２０ｃを、互いに分離できる構造にすることも可能である。
【００１８】
エアー層３０は、複数（例えば３つ）のエアー部３０ａ、３０ｂ、３０ｃからなる。エアー部３０ａ、３０ｂ、３０ｃは、コア部２０ａ、２０ｂ、２０ｃの３箇所にそれぞれ対応する。エアー部３０ａ及び３０ｂ間の側面、エアー部３０ｂ及び３０ｃ間の側面は繋がっており、エアー部３０ａ、３０ｂ、３０ｃは一体となっている。但し、エアー部３０ａ、３０ｂ、３０ｃを、互いに分離できる構造にすることも可能である。
【００１９】
図２（ｂ）に示すマットレス１０において、図２（ａ）のマットレス１０と異なる点は、脚部のコア部２０ｃとエアー部３０ｃとの上下を入れ替えている点である。つまり、上層は、コア部２０ａ、２０ｂ及びエアー部３０ｃとなり、下層は、エアー層３０ａ、３０ｂ及びコア層２０ｃとなっている。
【００２０】
尚、本実施形態では、図２（ｂ）のマットレス１０の構成に限定されず、コア部２０ａ、２０ｂ、２０ｃ及びエアー部３０ａ、３０ｂ、３０ｃのうち少なくとも一部の上層及び下層が入れ替えられていればよく、入れ替える箇所も頭部、腰部及び脚部のいずれでもよい。
【００２１】
図２（ｃ）に示すマットレス１０において、図２（ａ）のマットレス１０と異なる点は、頭部及び脚部におけるコア部２０ａ及び２０ｃがない点である。つまり、頭部及び脚部におけるマットレスは、エアー部３０ａ及び３０ｃのみの１層で構成され、コア部２０ｂはマットレス１０の一部にしか設けられていない。
【００２２】
尚、本実施形態では、図２（ｃ）のマットレス１０の構成に限定されず、マットレス１０は、コア層２０又はエアー層３０からなる１層構造の部分を有していればよい。例えば、マットレス１０の頭部、腰部及び脚部のいずれか１箇所のみをエアー層３０又はコア層２０の１層にしてもよい。
【００２３】
図２（ｄ）に示すマットレス１０において、図２（ｃ）のマットレス１０と異なる点は、頭部におけるマットレス１０は、コア部２０ａのみの１層で構成している点である。つまり、頭部はコア部２０ａのみで構成され、脚部はエアー部３０ｃのみで構成されている。このように、マットレス１０において１層になっている２箇所の層が、異なっていてもよい。
【００２４】
図３（ａ）に示すマットレス１０において、図２（ａ）のマットレス１０と異なる点は、エアー層３０が３つに分離されていない点である。このように、コア層２０のみを３つのコア部２０ａ、２０ｂ、２０ｃで構成し、エアー層３０は３つに分離しない構成にしてもよい。
【００２５】
図３（ｂ）に示すマットレス１０において、図２（ａ）のマットレス１０と異なる点は、コア層２０及びエアー層３０の両方が頭部、腰部及び脚部の３つに分離されていない点である。
【００２６】
尚、図３（ｃ）に示すように、マットレス１０は、２層のエアー層３０を有する３層構造にしてもよい。この場合、エアー層３０間に、例えば２０ｍｍのウレタン層３２が挿入されてもよい。これにより、エアー層３０同士の摩擦を防止できる。このようなマットレス１０において、各コア層２０及びエアー層３０の構造は、図３（ｃ）に示す構造に限定されず、種々変更可能である。また、マットレス１０のエアー層３０を３層以上にすることも可能である。
【００２７】
図４（ａ）に示すマットレス１０において、図２（ａ）のマットレス１０と異なる点は、マットレス１０がエアー層３０のみの１層構造になっている点である。このエアー層３０は、３つのエアー部３０ａ、３０ｂ、３０ｃで構成されている。
【００２８】
図４（ｂ）に示すマットレス１０において、図４（ａ）のマットレス１０と異なる点は、エアー層３０が３つに分離されていない点である。
【００２９】
尚、本実施形態では、コア層２０及びエアー層３０は、頭部、腰部及び脚部の３箇所にそれぞれ対応するように、３つのコア部２０ａ、２０ｂ、２０ｃ及びエアー部３０ａ、３０ｂ、３０ｃで構成される例を示したが、これに限定されず、２つでもよいし、４つ以上であってもよい。
また、ここでは、ベッド用敷寝具１がシングルサイズの場合を例に挙げたが、ダブルサイズの場合は、コア層２０及びエアー層３０はそれぞれ６個で構成されてもよい。
【００３０】
［３］コア層
図５（ａ）乃至（ｃ）を用いて、本考案の一実施形態に係るマットレスを構成するコア層の３つの例について説明する。尚、以下の説明では、コア層の材質は、ソフトウレタン、ジェルラテックス、極細繊維状樹脂等を例に挙げるが、これに限定されず、例えば、ハードウレタン、低反発性素材等、適宜変更可能である。
【００３１】
第１の例では、図５（ａ）に示すように、コア層２０は、ソフトウレタン層２１とジェルラテックス層２２との２層からなる。ソフトウレタン層２１及びジェルラテックス層２２の厚さは、同程度であり、例えば約３０ｍｍである。
【００３２】
ソフトウレタン層２１の面に就寝することで、身体を包み込むように身体のラインに沿ってフィットし、身体に密着するため、寝心地が良く、特に冬の季節に安眠快適を確保できる。
【００３３】
ジェルラテックス層２２は、高反発性の弾力性のあるゴム素材の合成ラテックスを使用し、多数の空気穴を設けて構成されている。このため、ジェルラテックス層２２は、抗菌性に優れ、通気性が良く、硬すぎず、柔らかすぎず、弾力性があるので、体圧分散に優れている。よって、ジェルラテックス層２２の面に就寝することで、寝汗を抑制でき、腰痛や肩こり予防の効果を確保できる。
【００３４】
第２の例では、図５（ｂ）に示すように、コア層２０は、立体的に絡み合わせて溶着した極細繊維状樹脂層２３とジェルラテックス層２２との２層からなる。極細繊維状樹脂層２３及びジェルラテックス層２２の厚さは、同程度であり、例えば約３０ｍｍである。
【００３５】
極細繊維状樹脂層２３は、極細の繊維状の樹脂を立体的に絡み合わせ溶着して構成されている。このため、極細繊維状樹脂層２３は、通気性に優れ、復元性も高い。よって、この極細繊維状樹脂層２３の面に就寝することで、寝汗を抑制でき、お年寄りや小さな子供にとって寝返りが容易になる。
第２の例におけるジェルラテックス層２２は、第１の例におけるジェルラテックス層２２と同様であるため説明を省略する。
【００３６】
第３の例では、図５（ｃ）に示すように、コア層２０は、立体的に絡み合わせて溶着した極細繊維状樹脂層２３とソフトウレタン層２１との２層からなる。極細繊維状樹脂層２３及びソフトウレタン層２１の厚さは、同程度であり、例えば約３０ｍｍである。
第３の例における極細繊維状樹脂層２３及びソフトウレタン層２１は、第２の例における極細繊維状樹脂層２３及び第１の例におけるソフトウレタン層２１と同様であるため説明を省略する。
【００３７】
尚、上記第１乃至第３の例によるコア層２０において、各層の厚みは一例であり、これに限定されない。上記第１乃至第３の例によるコア層２０では、２層構造を例示しているが、必ずしも２層に限定されず、１層又は３層以上であってもよい。上記第１乃至第３の例による２層構造のコア層２０は、どちらの層を使用者の横になる面側にしてもよい。
【００３８】
上記第１乃至第３の例によるコア層２０を、図２（ａ）に示す３つのコア部３０ａ、３０ｂ、３０ｃ等に適用する場合、３つのコア部３０ａ、３０ｂ、３０ｃとも同じ構造にしてもよいし、少なくとも一部を異なる構造にしてもよい。
【００３９】
［４］エアー層
図６（ａ）及び（ｂ）を用いて、本考案の一実施形態に係るマットレスを構成するエアー層について説明する。
図６（ａ）に示すように、エアー層３０は、３つのエアー部３０ａ、３０ｂ、３０ｃで構成されている。各エアー部３０ａ、３０ｂ、３０ｃは、Ｙ方向（マットレス１０の長手方向（Ｘ方向）に対して垂直な方向）に延在するライン形状になっている。３つのエアー部３０ａ、３０ｂ、３０ｃの硬さは、使用者の好みに応じて、それぞれ調整することが可能である。
【００４０】
尚、本実施形態のエアー層３０の形状は、種々変更可能である。例えば、図６（ｂ）に示すように、エアー層３０は、格子形状になっていてもよい。
【００４１】
［５］有底枠体
図７（ａ）乃至（ｄ）を用いて、本考案の一実施形態に係る有底枠体について説明する。
図７（ａ）及び（ｂ）に示すように、有底枠体４０は、箱状であり、底部４１と縁部４２とから構成される。底部４１は、例えば、長方形状である。縁部４２は、４つの縁部４２ａ、４２ｂ、４２ｃ、４２ｄで形成されている。縁部４２ａ、４２ｂは、底部４１の長辺の周辺部上にそれぞれ設けられ、縁部４２ｃ，４２ｄは、底部４１の短辺の周辺部上にそれぞれ設けられている。
【００４２】
有底枠体４０には、有底枠体４０の内面と外面を連通する複数の空気穴４３が設けられている（図７（ｃ））。例えば、空気穴４３は、底部４１に３個、縁部４２ａ、４２ｂにそれぞれ３個ずつ、縁部４２ｃ、４２ｄにそれぞれ１個ずつ、合計１１個存在する。但し、空気穴４３の設ける位置や数は、これに限定されず、種々変更可能である。
【００４３】
縁部４２ａ、４２ｂの表面には、溝４４ａ、４４ｂがそれぞれ設けられている。溝４４ａ、４４ｂは、有底枠体４０の頭部、腰部、脚部を曲げる際に、マットレス１０の浮き等を抑制している。
【００４４】
縁部４２ａと底部４１との境界部分には、切り込み部４５が設けられている（図７（ｄ））。この切り込み部４５は、エアー層３０のバルブ３１を収納するために用いられる。切り込み部４５は、例えば、３ｃｍ程度の深さである。
【００４５】
底部４１及び縁部４２は例えば同じ材質で構成され、底部４１と縁部４２は接着又は一体形成されている。
【００４６】
ここで、有底枠体４０の寸法の一例について述べる。有底枠体４０は、長さが約２ｍ、幅はベッドの規格に従って、シングルの１ｍから、セミダブル、ダブル、ダブルワイドと広くなり、最大はクィーンサイズの１．６７ｍまである。底部４１の厚さは、４０ｍｍ、縁部４２の高さは、１４０ｍｍや２００ｍｍである。空気穴４３の径は、１４ｍｍである。各溝４４ａ、４４ｂは、２０ｍｍ間隔で設けられている。
【００４７】
［４］効果
以上のように、本考案の一実施形態によるマットレス１０は、コア層２０とエアー層３０で構成されている。ここで、コア層２０は、頭部、腰部、脚部に対応した３つのコア部２０ａ、２０ｂ、２０ｃで構成され、さらに、２層構造となっている。エアー層３０は、頭部、腰部、脚部に対応した３つのエアー部３０ａ、３０ｂ、３０ｃで構成されている。このため、マットレス１０の様々な箇所を使用者の好みに応じて変更することができ、マットレス１０の寝心地を使用者の好みに調整し易くなる。
【００４８】
例えば、エアー層３０は、３つのエアー部３０ａ、３０ｂ、３０ｃに入れる空気の量を調節することで、エアー部３０ａ、３０ｂ、３０ｃの硬さを使用者の好みに応じてそれぞれ調整することができる。
【００４９】
コア層２０の各コア部２０ａ、２０ｂ、２０ｃは、用途や好みに応じて、図５に示すコア層２０の例の中から選択することができる。さらに、図５に示す例によるコア層２０の表裏（上下）面も選定できる。これにより、季節や用途に応じた安眠快眠を確保することができる。例えば、蒸し暑い熱帯夜には、立体的に絡み合わせて溶着した極細繊維状樹脂層２３や通気性をさらによくしたジェルラテックス層２２の面に就寝するとよい。真冬の極寒夜には、身体を包み込むような安心感を与える低反発のソフトウレタン層２１の面に就寝するとよい。小さな子供やお年寄りが寝返りをし易いように、立体的に絡み合わせて溶着した極細繊維状樹脂層２３の面に就寝するとよい。
【００５０】
また、マットレス１０のコア層２０及びエアー層３０は、複数のコア部２０ａ、２０ｂ、２０ｃ及びエアー部３０ａ、３０ｂ、３０ｃで構成されている。このため、例えば、ベッド用敷寝具１の長手方向（Ｘ方向）に沿って、複数のコア部２０ａ、２０ｂ、２０ｃ及びエアー部３０ａ、３０ｂ、３０ｃの材質、硬さ、表裏等を変えることにより、身体の部位（例えば、頭、背中、尻など）に応じた硬軟度を実現できる。また、２人用のベッド用敷寝具１の幅方向に、複数のコア層２０及びエアー層３０を配置することで、各人それぞれの好みや体型に応じた硬軟度にすることができる。
【００５１】
また、サイズに応じて複数（例えば３個）のコア層２０及びエアー層３０から構成されるマットレス１０を有底枠体４０内に敷き詰めている。これにより、マットレス１０のズレや変形（形くずれ）、コア層２０及びエアー層３０の隙間を防ぐことができる。
【００５２】
また、有底枠体４０には、有底枠体４０の内面と外面を連通する複数の空気穴４３が設けられている。これにより、さらに通気性を確保し、湿気を排除することで、安眠快眠を向上することができる。
【００５３】
尚、本考案の一実施形態を説明したが、この実施形態は、例として提示したものであり、考案の範囲を限定することは意図していない。この実施形態は、考案の要旨を逸脱しない範囲で種々変更可能であり、例えば、マットレス１０は、ベッド用敷寝具１に使用することに限定されず、ソファーベッド、座布団やクッションなどとして使用することも可能である。
【産業上の利用可能性】
【００５４】
本考案に係るマットレス及びベッド用敷寝具によれば、就寝者の用途や季節に応じて選定したコア層及びエアー層を組み合わせたマットレスを有底枠体に敷き詰め、この敷寝具に就寝することで、疲れた身体を癒し、より快適な安眠快眠を確保することができる。
【符号の説明】
【００５５】
１      ベッド用敷寝具
１０    マットレス
２０    コア層
２１    ソフトウレタン層
２２    ジェルラテックス層
２３    立体的に絡み合わせて溶着した極細繊維状樹脂層
３０    エアー層
３１    バルブ
３２    ウレタン層
４０    有底枠体
４１    底部
４２    縁部
４３    空気穴
４４    溝
４５    切り込み部
【図１】
0003220176.tif 000003
【図２】
0003220176.tif 000004
【図３】
0003220176.tif 000005
【図４】
0003220176.tif 000006
【図５】
0003220176.tif 000007
【図６】
0003220176.tif 000008
【図７】
0003220176.tif 000009
【手続補正書】
【提出日】平成30年12月17日(2018.12.17)
【手続補正１】
【補正対象書類名】実用新案登録請求の範囲
【補正対象項目名】請求項１
【補正方法】変更
【補正の内容】
【請求項１】
コア層とエアー層とからなる２層構造を具備するマットレス。
【手続補正２】
【補正対象書類名】明細書
【補正対象項目名】０００７
【補正方法】変更
【補正の内容】
【０００７】
本考案の一態様によるマットレスは、コア層とエアー層とからなる２層構造を具備する。